(57)【要約】【課題】操作性を向上し、安価に製造することを可能とする。【解決手段】指紋入力部２３及び指紋照合部を備え、指紋入力部２３により指紋データを入力し、入力指紋データと予め登録した登録指紋データとを指紋照合部で照合して本人認証を行い、本人認証ができたとき解錠を可能とする施錠装置において、指紋入力部２３を収容する収容部１９を設け、収容部１９を開閉する開閉体２５を設け、開閉体２５に、電源回路のスイッチを連動構成し、開閉体２５の開閉により電源回路がＯＮ・ＯＦＦするように回路構成したことを特徴とする。【選択図】　　　図２
2004027689.tif 000002
【特許請求の範囲】
【請求項１】
指紋入力部及び指紋照合部を備え、前記指紋入力部により指紋データを入力し、該入力指紋データと予め登録した登録指紋データとを前記指紋照合部で照合して本人認証を行い、本人認証ができたとき解錠を可能とする施錠装置において、
前記指紋入力部を収容する収容部を設け、
前記収容部を開閉する開閉体を設け、
該開閉体に、電源回路のスイッチを連動構成し、
前記開閉体の開閉により前記電源回路がＯＮ・ＯＦＦするように回路構成したことを特徴とする施錠装置。
【請求項２】
請求項１記載の施錠装置であって、
前記開閉体を、導電性材料で形成すると共に接地したことを特徴とする施錠装置。
【請求項３】
請求項１又は２記載の施錠装置であって、
前記収容部を、開口から指を挿入する形状に形成し、
前記指紋入力部を、前記挿入方向に対し交差する方向に位置させて前記収容部内に収容し、
前記開閉体を、前記収容部内へ押し込めるように押し開き可能に支持し、
前記開閉体を前記開口を閉塞する位置へ付勢する付勢部材を設けたことを特徴とする施錠装置。
【発明の詳細な説明】
【０００１】
【発明の属する技術分野】
本発明は、指紋照合によって解錠を可能とする施錠装置に関する。
【０００２】
【従来の技術】
従来の施錠装置としては、例えば特開２００２−７０３８２号公報に記載された図８，図９に示すようなものがある。図８は、ドア１０１を外側から見た要部正面図、図９は操作ユニット１０３の拡大斜視図である。
【０００３】
前記操作ユニット１０３は、前記ドア１０１に取り付けられたハウジング１０５を備えている。ハウジング１０１内に、指紋入力部１０７が設けられている。指紋入力部１０７は、ハウジング１０５の収容部１０９内に配置され、収容部１０９の開口１１１は、リッド１１３で開閉できるようになっている。そして常時は、リッド１１３が開口１１１を閉塞している。
【０００４】
この施錠装置は、電池あるいはＤＣ電源から必要な電力が供給されるようになっている。電源スイッチは、例えば指紋入力部１０７に指を乗せて押すことによりＯＮする。
【０００５】
そして、ドアロックを解錠する場合には、リッド１１３を開けて指紋入力部１０７に指を乗せ、該指紋入力部１０７を押すことにより電源スイッチをＯＮとする。ついで、指紋入力部１０７により指紋データを読み取らせ、その入力を行う。入力指紋データは、指紋照合部でから予め登録された登録指紋データと照合され、本人認証ができたときにドアロックの解錠が行なわれる。
【０００６】
【発明が解決しようとする課題】
しかしながら、上記のような構造であると、リッド１１３を開いてから指紋入力部１０７を押して電源スイッチをＯＮとしなければならないという面倒な操作を行わなければならず、操作性が悪いという問題がある。
【０００７】
また、指紋入力部１０７を押して電源スイッチをＯＮとするため、指紋入力部１０７が破損し易く、耐久性が損なわれるという問題がある。
【０００８】
さらに、電源スイッチのＯＦＦはタイマーなどを用いて行わければならず、装置が高価になるという問題がある。
【０００９】
本発明は、操作性が良く、耐久性があり、安価な施錠装置の提供を課題とする。
【００１０】
【課題を解決するための手段】
請求項１の発明は、指紋入力部及び指紋照合部を備え、前記指紋入力部により指紋データを入力し、該入力指紋データと予め登録した登録指紋データとを前記指紋照合部で照合して本人認証を行い、本人認証ができたとき解錠を可能とする施錠装置において、前記指紋入力部を収容する収容部を設け、前記収容部を開閉する開閉体を設け、該開閉体に、電源回路のスイッチを連動構成し、前記開閉体の開閉により前記電源回路がＯＮ・ＯＦＦするように回路構成したことを特徴とする。
【００１１】
請求項２の発明は、請求項１記載の施錠装置であって、前記開閉体を、導電性材料で形成すると共に接地したことを特徴とする。
【００１２】
請求項３の発明は、請求項１又は２記載の施錠装置であって、前記収容部を、開口から指を挿入する形状に形成し、前記指紋入力部を、前記挿入方向に対し交差する方向に位置させて前記収容部内に収容し、前記開閉体を、前記収容部内へ押し込めるように押し開き可能に支持し、前記開閉体を前記開口を閉塞する位置へ付勢する付勢部材を設けたことを特徴とする。
【００１３】
【発明の効果】
請求項１の発明では、指紋入力部及び指紋照合部を備え、前記指紋入力部により指紋データを入力し、該入力指紋データと予め登録した登録指紋データとを前記指紋照合部で照合して本人認証を行い、本人認証ができたとき解錠を可能にすることができる。
【００１４】
前記指紋入力部は、収容部に収容され、該収容部は開閉体で開閉することができる。この開閉体に電源回路のスイッチが連動構成され、開閉体の開閉により前記電源回路をＯＮ・ＯＦＦさせることができる。従って、特別なスイッチ操作を不要とし、操作性を向上することができる。
【００１５】
また、開閉体の開閉により前記電源回路をＯＮ・ＯＦＦさせるため、指紋入力部を押圧操作する必要がなく、指紋入力部の耐久性を向上させることができる。
【００１６】
さらに、電源回路をＯＦＦにするためにタイマーなどを用いる必要がなく、装置を安価に製造することができる。
【００１７】
請求項２の発明では、請求項１の発明の効果に加え、前記開閉体を導電性材料で形成すると共に接地したため、指紋入力部で指紋データを入力するために開閉体を開くときには該開閉体を介して操作者の静電気を逃がすことができ、指紋入力部を静電気から保護することができる。
【００１８】
請求項３の発明では、請求項１又は２の発明の効果に加え、前記収容部は開口から指を挿入する形状に形成し、前記指紋入力部を、前記挿入方向に対し交差する方向に位置させて前記収容部内に収容し、前記開閉体を前記収容部内へ押し込めるように押し開き可能に支持したため、指紋入力部で指紋データを入力する際には、開閉体を押すようにして収容部内に指を挿入するだけで指紋データの入力が可能となり、操作性をより向上することができる。
【００１９】
また、前記開閉体を前記開口を閉塞する位置へ付勢する付勢部材を設けたため、収容部から指を引き抜くと、開閉体は開口を閉塞する位置へ自動的に復帰し、電源回路を自動的にＯＦＦにすることができる。従って、電力の浪費を確実に抑制することができ、電池を電源とする場合には、その寿命を確実に長くすることができる。
【００２０】
【発明の実施の形態】
図１は、ドアの要部を示す斜視図である。この図１のように、ドア１には施錠装置３の室外側ユニット５が取り付けられている。前記施錠装置３は、指紋入力部及び指紋照合部を備え、前記指紋入力部に入力された指紋データを前記指紋照合部で予め登録した指紋データと照合して本人認証を行い、本人認証ができたときドアロックの解錠を可能とする。
【００２１】
前記室外側ユニット５は、ドア１に固定されたハウジング７にレバー９が支持されている。レバー９を操作することによってドア１を開くことができる。前記ハウジング７には、指紋照合ユニット１１のほか、ＬＣＤパネル１３、登録ボタン１５、設定ボタン１７を備えている。ＬＣＤパネル１３は、各種機能を表示することができる。登録ボタン１５は、暗証番号入力などを行うことができる。設定ボタン１７は、各種設定を行うことができる。
【００２２】
前記指紋照合ユニット１１は、図２をも用いて説明する。図２（ａ）は指挿入前の要部断面図、（ｂ）は指挿入後の要部断面図である。図１，図２のように、ハウジング７には、収容部１９が設けられている。収容部１９は、ハウジング７に設けられた開口２１から指を挿入する形状に形成されている。収容部１９内には、底部側に指紋入力部２３が設けられている。すなわち指紋入力部２３は、指ｆの挿入方向（図２左右方向）に対し交差する方向に位置するように、前記収容部１９内に収容されている。
【００２３】
前記収容部１９の開口２１には、該収容部１９を開閉する開閉体２５が設けられている。開口２１及び開閉体２５は、正面から見て矩形に形成され、開閉体２５の閉塞位置で開閉体２５が開口２１に丁度嵌合する状態となっている。
【００２４】
前記開閉体２５の上端部２７は、例えば鍵状に形成され、一体に設けられた軸部２９でハウジング７側に回転自在に支持されている。軸部２９の周りには、トルクスプリング３１が取り付けられ、一方のアーム３３がハウジング７側に、他方のアーム３５が開閉体２５側に係合している。従って、開閉体２５は、トルクスプリング３１によって開口２１を閉塞する位置へ付勢され、トルクスプリング３１は付勢部材を構成している。なお、付勢部材としては、トルクスプリング３１に限らず、種々のものを用いることができる。
【００２５】
前記開閉体２５の閉塞位置で、上端部２７は開口２１の上縁部３７に当接して位置決められている。
【００２６】
前記開閉体２５は、導電性材料で形成されている。導電性材料としては、金属、あるいはカーボン繊維を混入したプラスチック、導電性プラスチックなどを用いることができる。
【００２７】
そして、この開閉体２５に、電源回路のスイッチを連動構成し、開閉体２５の開閉により前記電源回路がＯＮ・ＯＦＦするように回路構成されている。また、開閉体２５は接地されている。
【００２８】
図３は、前記回路構成を示している。施錠装置３には、例えば電源として電池３９が備えられている。電池３９を設けると配線等が不要となり、既存のドアにも容易に取り付けることが可能となる。但し電源としてはＤＣ電源を用いることも可能である。
【００２９】
前記施錠装置３の電源回路は、スイッチ４１でＯＮ／ＯＦＦできるようになっている。スイッチ４１は、前記開閉体２５と連動構成されている。開閉体２５は接地Ｇされている。
【００３０】
そして、通常は開閉体２５がトルクスプリング３１の付勢力によって開口２１を閉塞する位置に位置決められ、スイッチ４１は開状態にある。従って、施錠装置３には、電池３９から電力供給は行われていない。従って、施錠装置３はロック状態にあり、レバー９を操作してもドア１を開くことはできない。
【００３１】
次に、施錠装置３の指紋照合部に指紋データが予め登録された人が操作する場合に、まず図２（ａ）のように、開閉体２５に指ｆを突き当てる。このとき導電性材料で形成されている開閉体２５を介し、図３のように接地Ｇにより操作者の静電気が直ちにアースされることになる。
【００３２】
前記開閉体２５は、トルクスプリング３１で開口２１を閉塞する方向に付勢されているため、指ｆで開閉体２５を押したときに、指ｆを開閉体２５に確実に接触させることができ、静電気を確実にアースすることができる。
【００３３】
次に、指ｆを図４のようにそのまま収容部１９内へ挿入すると、開閉体２５がトルクスプリング３１の付勢力に抗して、図２（ｂ）のように軸部２９を中心に回転する。この回転によって、図３で示すスイッチ４１が連動し、電池３９及び施錠装置３の電源回路が閉じられる。従って、電動のドアロック、指紋入力部２３、指紋照合部などに電力供給が行われる。
【００３４】
前記収容部１９内に、指ｆが差し込まれると、指ｆは指紋入力部２３上に対向し、指ｆをそのまま指紋入力部２３に押し当て、指紋データを入力することができる。指紋入力部２３に指ｆを押し当てたときに、前記のようにして操作者の静電気が予め除去されているため、指紋照合部２３を静電気から保護することができる。入力指紋データは、指紋照合部で予め登録した登録指紋データと照合され、本人認証ができたときに施錠装置３の電動のドアロックが自動的に解錠される。
【００３５】
前記指ｆを収容部１９から引き抜くと、開閉体２５はトルクスプリング３１の付勢力によって、図２（ａ）のように開口２１を閉塞する状態に自動的に復帰する。開閉体２５の自動復帰によって、スイッチ４１が連動し、電源回路が自動的に切断される。従って、電源回路の切れ忘れがなく、極めて簡単かつ安価な構成によって電力の無駄を省き、電池３９の寿命を延ばすことができる。
【００３６】
前記施錠装置３の電動のドアロックが解錠されたときは、図５のようにレバー９を操作し、ドア１を開くことができる。
【００３７】
このようにして、上記実施形態では、指ｆを収容部１９に差し込むというごく自然な動作によって操作者の静電気をアースすると共に、電源回路をＯＮとして指紋照合動作を行うことができ、操作性が著しく向上する。すなわち、前記指紋入力部２３で指紋データを入力する際には、開閉体２５を押すようにして収容部１９内に指を挿入するだけで指紋データの入力が可能となり、操作性をより向上することができる。
【００３８】
また、開閉体２５の開閉により前記電源回路をＯＮ・ＯＦＦさせるため、指紋入力部２３を押圧操作する必要がなく、指紋入力部２３が破損しにくく、その耐久性を向上させることができる。
【００３９】
さらに、電源回路をＯＦＦにするためにタイマーなどを用いる必要がなく、装置を安価に製造することができる。
【００４０】
さらに、前記開閉体２５を前記開口２１を閉塞する位置へ付勢する付勢部材としてトルクスプリング３１を設けたため、収容部１９から指を引き抜くと、開閉体２５は開口２１を閉塞する位置へ自動的に復帰し、電源回路を自動的にＯＦＦにすることができる。従って、電力の浪費を確実に抑制することができ、電池を電源とする場合には、その寿命を確実に長くすることができる。
【００４１】
図６，図７は、ネットワークタイプの施錠装置に適用したものである。図６はネットワーク構成した施錠装置３Ａを示す説明図、図７は操作ユニットの正面図である。
【００４２】
図６のように、各操作ユニット４３Ａ，４３Ｂ，４３Ｃは、各ドア１Ａ，１Ｂ，１Ｃ毎に取り付けられ、それぞれホストコンピュータ４５に接続され、各操作ユニット４３Ａ，４３Ｂ，４３Ｃをホストコンピュータ４５で管理できるようにしたものである。
【００４３】
前記操作ユニット４３Ａ，４３Ｂ，４３Ｃは同様な構成であり、図７のようにＬＣＤパネル４７、登録ボタン４９などの他に、指紋照合ユニット５１を備えている。指紋照合ユニット５１には、開閉体５３が備えられている。前記指紋照合ユニット５１、開閉体５３の構成は、前記指紋照合ユニット１１及び開閉体２５と同様となっている。
【００４４】
従って、図６，図７のネットワークタイプのものにおいても同様な効果を奏することができる。
【００４５】
なお、上記実施形態では、トルクスプリング３１を設けているが、これを省略して開閉体２５の自重により開口２１を閉塞する位置に自動復帰させる構成にすることも可能である。この場合、開閉体２５の下方側に重心を寄せることによって、開口２１を確実に閉塞することができる。
【００４６】
前記開閉体２５は、導電性材料以外の材料で形成することも可能である。開閉体は収容部１９内へ押し込めるように押し開き可能に支持したが、収容部１９外へ引き上げることによって開口２１を開く構成にすることも可能である。
【図面の簡単な説明】
【図１】本発明の一実施形態に係るドアの要部拡大斜視図である。
【図２】一実施形態に係り、（ａ）は指挿入前の要部拡大断面図、（ｂ）は指挿入後の要部拡大断面図である。
【図３】一実施形態に係る回路図である。
【図４】一実施形態に係り、指挿入状態の要部正面図である。
【図５】一実施形態に係り、ドア開状態の要部斜視図である。
【図６】本発明の他の実施形態に係り、ネットワーク構成を示す説明図である。
【図７】他の実施形態に係り、操作ユニットの正面図である。
【図８】従来例に係るドアの要部正面図である。
【図９】従来例に係り、操作ユニットの斜視図である。
【符号の説明】
３　施錠装置
１９　収容部
２１　開口
２３　指紋入力部
２５　開閉体
３１　トルクスプリング（付勢部材）
３９　電池（電源）
４１　スイッチ
【図１】
2004027689.tif 000003
【図２】
2004027689.tif 000004
【図３】
2004027689.tif 000005
【図４】
2004027689.tif 000006
【図５】
2004027689.tif 000007
【図６】
2004027689.tif 000008
【図７】
2004027689.tif 000009
【図８】
2004027689.tif 000010
【図９】
2004027689.tif 000011